(57)【要約】【課題】美観を損なうことなく表示部の破損を防止すること。【解決手段】液晶保護パネル１１０は、携帯端末装置内部に設けられた液晶パネルを覆っており、中央部分の表示領域において、液晶パネルに表示される画像を透過させることにより種々の画像を表示する。フロントケース１２０は、携帯端末装置の表示部側の筐体を形成し、液晶パネルを支持するとともに、この液晶パネルを覆う位置には液晶保護パネル１１０が取り付けられるようになっている。フロントキー１５０は、液晶保護パネル１１０及びフロントケース１２０の境界から外側へ露出し、押下されることにより携帯端末装置に所定の機能を実行させる。突起部材１６０は、フロントキー１５０が備える複数のキーの境界から外側へ突出している。具体的には、突起部材１６０は、液晶保護パネル１１０の表示領域の面よりも高く外側に向かって突出している。【選択図】図１
2012235431.tif 000002
【特許請求の範囲】
【請求項１】
面状の表示領域を備えた表示部と、
前記表示部の表示領域と同一面に設けられ、押下可能な複数のキーを備えた操作部と、
前記複数のキーの境界に形成され、前記表示部の表示領域の面より突出する突起部と、
を有することを特徴とする電子機器。
【請求項２】
前記複数のキーを連結し、前記電子機器内部の基板に接続させる連結部材をさらに有し、
前記突起部は、
前記連結部材に固定されることを特徴とする請求項１記載の電子機器。
【請求項３】
前記突起部は、
透明又は半透明の材料から形成され、前記電子機器内部において照射される光を前記電子機器外部へ伝達することを特徴とする請求項１記載の電子機器。
【請求項４】
前記突起部は、
前記複数のキー周辺の筐体の一部を前記表示部の表示領域の面よりも高く隆起させてなることを特徴とする請求項１記載の電子機器。
【請求項５】
前記突起部は、
前記複数のキーの表面よりも高く突出することを特徴とする請求項１記載の電子機器。
【発明の詳細な説明】
【技術分野】
【０００１】
本発明は、電子機器に関する。
【背景技術】
【０００２】
従来、例えば携帯電話機などの電子機器には、２分割された筐体が互いに折り畳み可能な形状になっているものがある。このような折り畳み型電子機器の多くは、一方の筐体に例えばキーなどの操作部を備え、他方の筐体に例えば液晶パネルなどの表示部を備えている。そして、これらの２つの筐体が例えばヒンジを介して接続されることにより、折り畳み可能な形状となっている。
【０００３】
通常、折り畳み型電子機器は、携帯のしやすさの観点から、非使用時には折り畳まれた形状となることが多い。そして、折り畳まれた形状においては、操作部や表示部が外側に露出しないように、２つの筐体の操作部と表示部とが互いに対向した状態となることがある。このとき、操作部のキーなどが表示部に接触して表示部が破損する虞があるため、一方の筐体に突起を設けることにより、電子機器が折り畳まれた形状でも表示部を保護することが考えられている。
【０００４】
すなわち、例えば操作部を備えた面の周縁などのように、操作部の周囲であって電子機器が折り畳まれた際に表示部が存在しない領域に対向する位置に突起を設けることが考えられている。このような突起を設けることにより、電子機器が折り畳まれる際には、突起が表示部以外の領域に当接することになり、キーなどが表示部に直接接触しなくなる。結果として、電子機器が折り畳まれた場合でも、表示部の破損を防止することができる。
【先行技術文献】
【特許文献】
【０００５】
【特許文献１】特開２００３−２６４６１７号公報
【特許文献２】特開２００６−１１５１６３号公報
【特許文献３】特開２００９−２６０４６１号公報
【発明の概要】
【発明が解決しようとする課題】
【０００６】
ところで、表示部の破損は、折り畳み型電子機器のみで起こり得る問題ではない。例えば折り畳むことができないストレート型の携帯電話機などでは、常に表示部が外側に露出しているため、この携帯電話機を載置する際などに表示部の破損が発生する可能性がある。
【０００７】
具体的には、このようなストレート型電子機器を表示部を下側にして机の上等に載置する場合、表示部が直接机に接触して傷つくことが考えられる。そこで、ストレート型電子機器の表示部の破損を防止するために、折り畳み型電子機器と同様の突起を表示部の周囲に設けることが考えられる。
【０００８】
しかしながら、このような突起を筐体の表面に設けると、電子機器の美観が損なわれるため、製品のデザイン性の観点からは望ましくない。特に、ストレート型電子機器は、折り畳まれることがないため、表示部の周囲に設けられた突起が常に露出していることになり、見栄えが悪くなる。
【０００９】
開示の技術は、かかる点に鑑みてなされたものであって、美観を損なうことなく表示部の破損を防止することができる電子機器を提供することを目的とする。
【課題を解決するための手段】
【００１０】
本願が開示する電子機器は、１つの態様において、面状の表示領域を備えた表示部と、前記表示部の表示領域と同一面に設けられ、押下可能な複数のキーを備えた操作部と、前記複数のキーの境界に形成され、前記表示部の表示領域の面より突出する突起部と、を有する。
【発明の効果】
【００１１】
本願が開示する電子機器の１つの態様によれば、美観を損なうことなく表示部の破損を防止することができるという効果を奏する。
【図面の簡単な説明】
【００１２】
【図１】図１は、実施の形態１に係る携帯端末装置の表示部側の外観を示す斜視図である。
【図２】図２は、実施の形態１に係る携帯端末装置のカメラ側の外観を示す斜視図である。
【図３】図３は、実施の形態１に係る携帯端末装置の分解斜視図である。
【図４】図４は、実施の形態１に係る携帯端末装置の他の分解斜視図である。
【図５】図５は、図１のＸ−Ｘ線断面を模式的に示す図である。
【図６】図６は、実施の形態１に係るフロントキー部を示す斜視図である。
【図７】図７は、実施の形態１に係るフロントキー部を示す分解斜視図である。
【図８】図８は、実施の形態１に係る携帯端末装置を載置した状態を示す図である。
【図９】図９は、実施の形態２に係る携帯端末装置の表示部側の外観を示す斜視図である。
【図１０】図１０は、図９のＹ−Ｙ線断面を模式的に示す図である。
【発明を実施するための形態】
【００１３】
以下、本願が開示する電子機器の実施の形態について、図面を参照して詳細に説明する。なお、以下の実施の形態においては、電子機器の一例として携帯端末装置を例に挙げて説明するが、この実施の形態により本発明が限定されるものではない。
【００１４】
（実施の形態１）
図１は、実施の形態１に係る携帯端末装置の表示部側の外観を示す斜視図である。また、図２は、実施の形態１に係る携帯端末装置のカメラ側の外観を示す斜視図である。図１及び図２に示す携帯端末装置は、液晶保護パネル１１０、フロントケース１２０、リアケース１３０、サイドキー１４０、フロントキー１５０、突起部材１６０、リアカバー１７０及びカメラ１８０を有している。
【００１５】
液晶保護パネル１１０は、携帯端末装置内部に設けられた液晶パネルを覆っており、中央部分の表示領域において、液晶パネルに表示される画像を透過させることにより、例えばカメラ１８０によって撮影された画像などの種々の画像を表示する。すなわち、液晶保護パネル１１０は、後述する液晶パネルとともに携帯端末装置の表示部を形成している。
【００１６】
フロントケース１２０は、携帯端末装置の表示部側の筐体を形成し、後述する液晶パネルを支持するとともに、この液晶パネルを覆う位置には液晶保護パネル１１０が取り付けられるようになっている。
【００１７】
リアケース１３０は、携帯端末装置のカメラ１８０側の筐体を形成し、フロントケース１２０と接合されることにより、携帯端末装置全体の外側形状を規定している。
【００１８】
サイドキー１４０は、リアケース１３０から外側へ露出し、押下されることにより携帯端末装置に所定の機能を実行させる。すなわち、サイドキー１４０は、例えば音量調節などのユーザの操作を受け付ける。
【００１９】
フロントキー１５０は、液晶保護パネル１１０及びフロントケース１２０の境界から外側へ露出し、押下されることにより携帯端末装置に所定の機能を実行させる。すなわち、フロントキー１５０は、例えば電源オンなどのユーザの操作を受け付ける。なお、フロントキー１５０は、複数の独立したキーを備えており、それぞれのキーに異なる機能が割り当てられている。また、フロントキー１５０は、液晶保護パネル１１０と同一の面に露出した操作部であるため、この携帯端末装置においては、表示部と操作部が同一面に設けられていることになる。
【００２０】
突起部材１６０は、フロントキー１５０が備える複数のキーの境界から外側へ突出している。具体的には、突起部材１６０は、液晶保護パネル１１０の表示領域の面よりも高く外側に向かって突出している。さらに、突起部材１６０は、押下されていない状態のフロントキー１５０よりも高く外側に向かって突出している。したがって、携帯端末装置の液晶保護パネル１１０が設けられる面においては、突起部材１６０の先端部が表示領域の面から最も離間する方向に突出していることになる。
【００２１】
リアカバー１７０は、リアケース１３０に取り付けられ、携帯端末装置のカメラ１８０側の表面を覆っている。
【００２２】
カメラ１８０は、後述するカメラモジュールを備えており、ユーザの操作に従って画像を取得する。カメラ１８０の操作には、サイドキー１４０又はフロントキー１５０を利用することができる。
【００２３】
図３は、実施の形態１に係る携帯端末装置を表示部側から見た分解斜視図である。また、図４は、実施の形態１に係る携帯端末装置をカメラ側から見た分解斜視図である。図３及び図４に示すように、液晶保護パネル１１０の内側には液晶パネル１１１が設けられている。液晶パネル１１１は、フロントケース１２０に支持されるとともに、フレキシブルケーブル１１１ａによって基板２００上の回路に接続される。これにより、液晶パネル１１１に種々の画像を表示することが可能となり、これらの画像が液晶保護パネル１１０の中央部分の表示領域を透過し、液晶保護パネル１１０及び液晶パネル１１１が表示部として機能する。
【００２４】
また、フロントキー１５０及び突起部材１６０は、キーラバー１９０に固定されており、一体的に形成されている。すなわち、フロントキー１５０が備える複数のキーは、キーラバー１９０によって連結されており、複数のキーの間には、突起部材１６０が固定されている。これにより、フロントキー１５０が備える複数のキーと突起部材１６０とが全体として１つの部品のようになっている。キーラバー１９０は、フロントケース１２０の下部に形成された貫通孔を介して基板２００に取り付けられる。そして、フロントキー１５０が備えるキーが押下された場合には、それぞれのキーに対応して基板２００上に設けられたスイッチ２０１がキーの押下を検知する。フロントキー１５０、突起部材１６０及びキーラバー１９０を含むフロントキー部の構成については、後に詳述する。
【００２５】
基板２００は、フロントケース１２０及びリアケース１３０によって挟持されている。基板２００には、サイドキー１４０やカメラモジュール１８１などが取り付けられるとともに、携帯端末装置を動作させる回路が形成されている。また、リアケース１３０とリアカバー１７０の間には、防水パッキン１７１が介挿されている。防水パッキン１７１により、携帯端末装置内部への液体や微小な埃などの進入が妨げられ、基板２００上の回路などを保護することができる。
【００２６】
次いで、実施の形態１に係る携帯端末装置のフロントキー１５０周辺の構成について、図５を参照しながら説明する。図５は、図１に示したＸ−Ｘ線断面を模式的に示す図である。図５に示すように、フロントキー１５０は、独立した３つのキーを備えており、それぞれのキーの境界からは、突起部材１６０が突出している。具体的には、突起部材１６０の先端部１６０ａは、液晶保護パネル１１０及びフロントキー１５０の表面よりも高い位置に突出している。すなわち、突起部材１６０の先端部１６０ａは、基板２００から最も離間している。このため、液晶保護パネル１１０の面を下にして携帯端末装置が机上などに載置される場合でも、突起部材１６０の先端部１６０ａと筐体のフロントキー１５０が設けられていない周縁部分とが机の表面に接触することになる。すなわち、液晶保護パネル１１０の中央部分にある表示領域は、机の表面に直接接触せず、表示部の破損を防止することができる。
【００２７】
また、図５に示すように、フロントキー１５０の表面は、液晶保護パネル１１０の表面よりも高い位置にあり、突起部材１６０は、フロントキー１５０の境界において突出している。このため、フロントキー１５０及び突起部材１６０の部分が全体として液晶保護パネル１１０の表面から盛り上がった形状となる。結果として、突起部材１６０が突出していることは目立たず、液晶保護パネル１１０やフロントケース１２０の表面に独立した突起を設ける場合と比べて、突起部材１６０が突出していることによる美観の劣化はほとんど無い。そして、美観の劣化がほとんど無いため、突起部材１６０の先端部１６０ａを十分な高さにまで突出させることができ、確実に表示部の破損を防止することができる。
【００２８】
さらに、突起部材１６０の先端部１６０ａをフロントキー１５０の表面よりも高い位置に突出させることにより、液晶保護パネル１１０の面を下にして携帯端末装置が載置される場合に、フロントキー１５０が誤って押下されることを防止することができる。この結果、携帯端末装置の誤動作を防止することができる。同様に、ユーザがフロントキー１５０を押下する場合にも、突起部材１６０が各キーの間のセパレータとして機能するため、複数のキーが同時に押下されることがない。したがって、ユーザの操作時における誤動作も防止することができる。
【００２９】
これらのフロントキー１５０及び突起部材１６０は、いずれもキーラバー１９０に固定されている。具体的には、フロントキー１５０の基板２００側の面と突起部材１６０の基底部１６０ｂとがキーラバー１９０に接着される。フロントキー１５０の基板２００側の面には、凸部１５０ａが形成されており、キーラバー１９０には、凸部１５０ａの形状に沿った凹部１９０ａが形成されている。そして、フロントキー１５０が押下された場合には、キーラバー１９０の凹部１９０ａを介して、凸部１５０ａが基板２００上のスイッチ２０１を押圧する。結果として、基板２００上の回路は、押圧されたスイッチ２０１に対応する機能を実行する。
【００３０】
また、突起部材１６０の基底部１６０ｂは、キーラバー１９０の肉厚部１９０ｂに接着される。そして、肉厚部１９０ｂは、基板２００に固定される。これにより、液晶保護パネル１１０の面を下にして携帯端末装置が載置される場合に、突起部材１６０の先端部１６０ａが受ける衝撃を突起部材１６０及び肉厚部１９０ｂが吸収する。したがって、突起部材１６０が破損しにくくなり、耐衝撃性を高めることができる。
【００３１】
次に、実施の形態１に係るフロントキー部の構成について、図６及び図７を参照して詳細に説明する。図６は、実施の形態１に係るフロントキー部を示す斜視図である。図６に示すように、フロントキー１５０及び突起部材１６０は、キーラバー１９０に固定されている。すなわち、キーラバー１９０には、フロントキー１５０が備える複数のキーが押下可能に固定されており、これらのキーの境界に突起部材１６０が固定されている。そして、突起部材１６０の先端は、フロントキー１５０の表面よりも高い位置にまで突出している。このように、フロントキー１５０が備える複数のキーと突起部材１６０とが１つのキーラバー１９０に固定されることにより、比較的小さな部品であるキーや突起部材の位置決めなどが容易となり、携帯端末装置の組立効率が向上する。
【００３２】
フロントキー１５０は、合成樹脂や金属メッキが施された合成樹脂などから形成されており、ユーザが押下しやすいように表面が曲面状になっている。突起部材１６０は、透明又は半透明の合成樹脂などから形成されている。また、キーラバー１９０は、透明又は半透明の弾性材料（例えばゴム）などから形成されている。このように、突起部材１６０及びキーラバー１９０が透明又は半透明の材料から形成されているため、携帯端末装置の基板２００に取り付けられたＬＥＤ（Light  Emitting  Diode）などが発光すると、フロントキー１５０の境界から突出する突起部材１６０が光る。このため、例えば暗い場所で携帯端末装置が使用される場合にも、フロントキー１５０が備える各キーの視認性を向上することができる。以下、キーの視認性を向上するための構成について、より詳細に説明する。
【００３３】
図７は、実施の形態１に係るフロントキー部を示す分解斜視図である。図７に示すように、フロントキー１５０及び突起部材１６０は、遮光シート１９１を介してキーラバー１９０に固定されている。遮光シート１９１は、遮光性が高いシート状の部材であり、フロントキー１５０に対応する位置に貫通孔１９１ａが形成されるとともに、突起部材１６０に対応する位置に貫通孔１９１ｂが形成されている。
【００３４】
そして、突起部材１６０は、遮光シート１９１の貫通孔１９１ｂを介してキーラバー１９０に固定される。このとき、突起部材１６０の先端部１６０ａより幅広な基底部１６０ｂがキーラバー１９０の肉厚部１９０ｂに接着される。一方、フロントキー１５０が備える各キーは、遮光シート１９１の貫通孔１９１ａを介してキーラバー１９０に押下可能に固定される。このとき、キーの裏面に設けられた凸部が凹部１９０ａに嵌合するようにキーがキーラバー１９０に固定される。突起部材１６０及びフロントキー１５０がキーラバー１９０に固定されることにより、フロントキー１５０が備える各キーの境界からは、突起部材１６０の先端部１６０ａが突出する。
【００３５】
フロントキー１５０及び突起部材１６０とキーラバー１９０との間には、遮光シート１９１が間挿されているため、携帯端末装置内部から照射された光は、キーラバー１９０を経由して遮光シート１９１の貫通孔１９１ａ、１９１ｂから漏出する。そして、貫通孔１９１ｂを介してキーラバー１９０に接着された突起部材１６０が透明又は半透明の材料から形成されているため、突起部材１６０の位置において携帯端末装置外部からも光が視認可能となる。結果として、フロントキー１５０が備える各キーの境界が光って見えることになり、暗い場所などでもそれぞれのキーの位置が把握可能となる。
【００３６】
なお、遮光シート１９１の貫通孔１９１ａから漏出する光は、フロントキー１５０の周囲に形成される隙間から視認可能であるため、フロントキー１５０の輪郭が強調され、キーの位置が明確に把握可能となる。
【００３７】
以上のように、実施の形態１によれば、フロントキー１５０が備える複数のキーの境界から液晶保護パネル１１０よりも高い位置に突出する突起部材１６０を有しており、この突起部材１６０が透明又は半透明の材料から形成されている。このため、図８に示すように、液晶保護パネル１１０の面を下にして携帯端末装置を平面上に載置する場合でも、図中二点鎖線で示す平面に接触するのは、突起部材１６０と筐体の周縁部分Ａとなる。換言すれば、液晶保護パネル１１０の表示領域が直接平面に接触することがなく、表示領域に傷が付くなどの破損を防止することができる。
【００３８】
また、突起部材１６０は、フロントキー１５０の境界部分に設けられ、キー間のセパレータとして自然な状態で突出する。このため、突起部材１６０を設けたことによる携帯端末装置の美観の劣化が無い。すなわち、実施の形態１に係る携帯端末装置によれば、美観を損なうことなく表示部の破損を防止することができる。
【００３９】
（実施の形態２）
実施の形態２の特徴は、フロントキーの境界に突起部材を設ける代わりに、液晶保護パネル又はフロントケースの形状をフロントキーの境界において隆起させる形状とすることである。
【００４０】
図９は、実施の形態２に係る携帯端末装置の表示部側の外観を示す斜視図である。図９において、図１と同じ部分には同じ符号を付して、その説明を省略する。また、実施の形態２に係る携帯端末装置のカメラ側の外観は、実施の形態１に係る携帯端末装置と同様であるため、図示を省略している。図９に示す携帯端末装置は、液晶保護パネル１１５、フロントケース１２５、リアケース１３０、サイドキー１４０及びフロントキー１５０を有している。
【００４１】
液晶保護パネル１１５は、実施の形態１に係る液晶保護パネル１１０と同様に、携帯端末装置内部に設けられた液晶パネルを覆っており、中央部分の表示領域において、液晶パネルに表示される画像を透過させる。ただし、液晶保護パネル１１５は、液晶保護パネル１１０と異なり、フロントキー１５０が備える複数のキーの境界において隆起する隆起部１１５ａを有している。
【００４２】
フロントケース１２５は、実施の形態１に係るフロントケース１２０と同様に、携帯端末装置の表示部側の筐体を形成し、液晶パネルを支持するとともに、この液晶パネルを覆う位置には液晶保護パネル１１５が取り付けられるようになっている。ただし、フロントケース１２５は、フロントケース１２０と異なり、フロントキー１５０が備える複数のキーの境界において隆起する隆起部１２５ａを有している。
【００４３】
そして、液晶保護パネル１１５の隆起部１１５ａとフロントケース１２５の隆起部１２５ａとが接合し、全体としてアーチ形状に突起している。このアーチ形状の先端部は、液晶保護パネル１１５の表示領域の面よりも高く外側に向かって突出している。さらに、アーチ形状の先端部は、押下されていない状態のフロントキー１５０よりも高く外側に向かって突出している。したがって、携帯端末装置の液晶保護パネル１１５が設けられる面においては、隆起部１１５ａ及び隆起部１２５ａによって形成されるアーチ形状の先端部が表示領域の面から最も離間する方向に突出していることになる。
【００４４】
なお、実施の形態２においては、フロントキー１５０が液晶保護パネル１１５及びフロントケース１２５の境界において外側へ露出しているため、液晶保護パネル１１５及びフロントケース１２５の双方に隆起部１１５ａ、１２５ａが形成されている。しかし、フロントキー１５０が例えばフロントケースの貫通孔から外側へ露出しているような場合には、このフロントキー１５０の境界においてフロントケースがアーチ形状に隆起していれば良い。同様に、フロントキー１５０が例えば液晶保護パネルの貫通孔から外側へ露出しているような場合には、このフロントキー１５０の境界において液晶保護パネルがアーチ形状に隆起していれば良い。
【００４５】
次いで、実施の形態２に係る携帯端末装置のフロントキー１５０周辺の構成について、図１０を参照しながら説明する。図１０は、図９に示したＹ−Ｙ線断面を模式的に示す図である。図１０に示すように、フロントキー１５０は、独立した３つのキーを備えており、それぞれのキーの境界においては、液晶保護パネル１１５の隆起部１１５ａが突出している。なお、フロントケース１２５の隆起部１２５ａを含む断面においては、それぞれのキーの境界において隆起部１２５ａが突出していることはいうまでもない。
【００４６】
図１０に示すように、隆起部１１５ａは、周囲の液晶保護パネル１１５の面及びフロントキー１５０の表面よりも高い位置に突出している。すなわち、隆起部１１５ａは、基板２００から最も離間している。このため、液晶保護パネル１１５の面を下にして携帯端末装置が机上などに載置される場合でも、隆起部１１５ａと筐体のフロントキー１５０が設けられていない周縁部分とが机の表面に接触することになる。すなわち、液晶保護パネル１１５の中央部分にある表示領域は、机の表面に直接接触せず、表示部の破損を防止することができる。
【００４７】
また、図１０に示すように、フロントキー１５０の表面は、液晶保護パネル１１５の表示領域がある面よりも高い位置にあり、隆起部１１５ａは、フロントキー１５０の境界において隆起している。このため、液晶保護パネル１１５やフロントケース１２５の表面に独立した突起を設ける場合と比べて、液晶保護パネル１１５やフロントケース１２５の一部が隆起していることによる美観の劣化はほとんど無い。そして、美観の劣化がほとんど無いため、隆起部１１５ａ、１２５ａを十分な高さにまで隆起させることができ、結果として、確実に表示部の破損を防止することができる。
【００４８】
さらに、隆起部１１５ａ、１２５ａをフロントキー１５０の表面よりも高い位置に隆起させることにより、液晶保護パネル１１５の面を下にして携帯端末装置が載置される場合に、フロントキー１５０が誤って押下されることを防止することができる。この結果、携帯端末装置の誤動作を防止することができる。同様に、ユーザがフロントキー１５０を押下する場合にも、隆起部１１５ａ、１２５ａによって形成されるアーチ形状が各キーの間のセパレータとして機能するため、複数のキーが同時に押下されることがない。したがって、ユーザの操作時における誤動作も防止することができる。
【００４９】
そして、実施の形態２においては、フロントキー１５０が備える複数のキーの境界を突起させるために、新たな突起部材などを使用する必要がない。このため、実施の形態２の構成によれば、実施の形態１の構成と比較して、部品点数の増大を抑制することができる。
【００５０】
以上のように、実施の形態２によれば、フロントキー１５０が備える複数のキーの境界において、液晶保護パネル１１５又はフロントケース１２５の一部が液晶保護パネル１１５の表示領域の面よりも高い位置にまで隆起している。このため、液晶保護パネル１１５の面を下にして携帯端末装置を平面上に載置する場合でも、平面に接触するのは、液晶保護パネル１１５又はフロントケース１２５の隆起部１１５ａ、１２５ａと筐体の周縁部分となる。換言すれば、液晶保護パネル１１５の表示領域が直接平面に接触することがなく、表示領域に傷が付くなどの破損を防止することができる。
【００５１】
また、隆起部１１５ａ、１２５ａは、フロントキー１５０の境界部分に設けられ、キー間のセパレータとして自然な状態で隆起する。このため、隆起部１１５ａ、１２５ａを設けたことによる携帯端末装置の美観の劣化が無い。すなわち、実施の形態２に係る携帯端末装置によれば、美観を損なうことなく表示部の破損を防止することができる。さらに、実施の形態２に係る携帯端末装置によれば、表示部を保護するための新たな突起部材などが不要であるため、携帯端末装置の部品点数の増大を抑制することができる。
【００５２】
なお、上記実施の形態２においては、隆起部１１５ａ、１２５ａが透明又は半透明となるように携帯端末装置の筐体を製造しても良い。すなわち、液晶保護パネル１１５及びフロントケース１２５を例えば透明な合成樹脂などを成形することにより作成し、表示領域や隆起部１１５ａ、１２５ａ以外の部分を着色しても良い。このようにすることにより、携帯端末装置内部に設けられたＬＥＤなどが発光すると、隆起部１１５ａ、１２５ａから外部へ光が伝達される。このため、実施の形態１に係る突起部材１６０を透明又は半透明の材料から形成する場合と同様の効果が得られる。
【００５３】
ところで、上記各実施の形態においては、フロントキー１５０の境界における突起部材１６０又は隆起部１１５ａ、１２５ａがフロントキー１５０の表面よりも高い位置にまで突出するものとした。しかし、突起部材１６０又は隆起部１１５ａ、１２５ａを含む突起部は、必ずしもフロントキー１５０の表面より高い位置にまで突出しなくても良い。すなわち、これらの突起部が少なくとも液晶保護パネル１１０、１１５の表示領域の面よりも高い位置に突出していれば、フロントキー１５０又は突起部によって携帯端末装置を載置する際の表示部の破損を防止することができる。
【００５４】
また、上記各実施の形態においては、携帯端末装置を例に挙げて説明したが、表示部と同じ面にフロントキーなどの操作部が設けられている電子機器であれば、上記各実施の形態と同様の突起部を設けることにより、美観を損なうことなく表示部の破損を防止することができる。
【符号の説明】
【００５５】
１１０、１１５  液晶保護パネル
１１５ａ  隆起部
１１１  液晶パネル
１１１ａ  フレキシブルケーブル
１２０、１２５  フロントケース
１２５ａ  隆起部
１３０  リアケース
１４０  サイドキー
１５０  フロントキー
１５０ａ  凸部
１６０  突起部材
１６０ａ  先端部
１６０ｂ  基底部
１７０  リアカバー
１７１  防水パッキン
１８０  カメラ
１８１  カメラモジュール
１９０  キーラバー
１９０ａ  凹部
１９０ｂ  肉厚部
１９１  遮光シート
１９１ａ、１９１ｂ  貫通孔
２００  基板
２０１  スイッチ
【図１】
2012235431.tif 000003
【図２】
2012235431.tif 000004
【図３】
2012235431.tif 000005
【図４】
2012235431.tif 000006
【図５】
2012235431.tif 000007
【図６】
2012235431.tif 000008
【図７】
2012235431.tif 000009
【図８】
2012235431.tif 000010
【図９】
2012235431.tif 000011
【図１０】
2012235431.tif 000012